(57)【要約】【課題】表示品位の高い画像表示を実現する、２枚の液晶パネルを有する液晶表示装置を得る。【解決手段】表示パネル２０は白表示時に黄色にシフトする斜め視野方向である黄色シフト方向ＤＹ１と、白表示時に青色にシフトする斜め視野方向である青色シフト方向ＤＢ１とを含む第１の視野角特性を有している。視差バリアパネル３０は白表示時に黄色にシフトする斜め視野方向である黄色シフト方向ＤＹ２と、白表示時に青色にシフトする斜め視野方向である青色シフト方向ＤＢ２とを含む第２の視野角特性を有している。黄色シフト方向ＤＹ１及び青色シフト方向ＤＢ２が一致し、かつ、青色シフト方向ＤＢ１及び黄色シフト方向ＤＹ２が一致するように、表示パネル２０及び視差バリアパネル３０が積層される。【選択図】図４
2015114371.tif 000002
【特許請求の範囲】
【請求項１】
第１及び第２の液晶パネルの積層構造により構成される液晶表示装置であって、前記積層構造の上方または下方が表示面として規定され、
前記第１の液晶パネルは、第１の液晶層、前記第１の液晶層を挟む第１の上部及び下部基板、前記第１の上部基板の上方に設けられる第１の上部偏光板、及び前記第１の下部基板の下方に設けられる第１の下部偏光板を含み、
前記第２の液晶パネルは、第２の液晶層、前記第２の液晶層を挟む第２の上部及び下部基板、前記第２の上部基板の上方に設けられる第２の上部偏光板、前記第２の下部基板の下方に設けられる第２の下部偏光板を含み、
前記第１の液晶パネルは白表示時に黄色にシフトする視野方向である第１の黄色シフト方向と、白表示時に青色にシフトする視野方向である第１の青色シフト方向とを含む第１の視野角特性を有し、
前記第２の液晶パネルは白表示時に黄色にシフトする視野方向である第２の黄色シフト方向と、白表示時に青色にシフトする視野方向である第２の青色シフト方向とを含む第２の視野角特性を有し、
前記第１の黄色シフト方向及び前記第２の青色シフト方向が一致し、かつ、前記第１の青色シフト方向及び前記第２の黄色シフト方向が一致するように前記第１及び第２の液晶パネルが積層されることを特徴とする、
液晶表示装置。
【請求項２】
請求項１記載の液晶表示装置あって、
前記第２の液晶パネル上に中間偏向基板を介して前記第１の液晶パネルが形成され、
前記第２の上部偏向基板及び前記第１の下部偏向基板の吸収軸の方向が同一になるように設定され、
前記中間偏向基板は、前記第２の上部偏向基板及び前記第１の下部偏向基板を兼用することを特徴する、
液晶表示装置。
【請求項３】
請求項１または請求項２記載の液晶表示装置であって、
前記第１の液晶パネルは、マトリクス状に配列された複数の画素により画像表示を行う表示パネルであり、前記液晶パネルの上面が前記表示面となり、
前記第２の液晶パネルは、前記表示パネルの下方に配置され、第１形式の画像用に設定される完全光透過状態と、第２形式の画像用に設定され水平方向に沿って透過領域と遮光領域とが交互に形成される一部遮光状態とを切り替える視差バリアパネルであり、
前記表示パネルにおける前記複数の画素は、前記第２形式の画像表示用に役割が分担された第１種画素及び第２種画素が前記水平方向に交互に配列されている、
液晶表示装置。
【請求項４】
請求項１〜請求項３のうち、いずれか１項に記載の液晶表示装置であって、
前記第１の液晶パネルはＦＦＳモードまたはインプレインスイッチングモードで前記第１の液晶層を駆動するように構成され、
前記第２の液晶パネルはＴＮモードで前記第２の液晶層を駆動するように構成され、
前記第１の液晶パネルは、前記第１の視野角特性が得られるように、前記第１の上部及び下部基板における第１の上部及び下部ラビング方向と駆動時における前記第１の液晶層における液晶分子の回転方向とが設定され、
前記第２の液晶パネルは、前記第２の視野角特性が得られるように、前記第２の上部及び下部基板における第２の上部及び下部ラビング方向が設定される、
液晶表示装置。
【請求項５】
請求項１〜請求項３のうち、いずれか１項に記載の液晶表示装置であって、
前記第１及び第２の液層パネルはＴＮモードで前記第１及び第２の液晶層を駆動するように構成され、
前記第１の液晶パネルは、前記第１の視野角特性が得られるように、前記第１の上部及び下部基板における第１の上部及び下部ラビング方向が設定され、
前記第２の液晶パネルは、前記第２の視野角特性が得られるように、前記第２の上部及び下部基板における第２の上部及び下部ラビング方向が設定される、
液晶表示装置。
【発明の詳細な説明】
【技術分野】
【０００１】
この発明は、液晶視差バリア方式裸眼立体ディスプレイなどの２枚の液晶パネルを重ねた構造の液晶表示装置に関する。
【背景技術】
【０００２】
近年、２枚の液晶パネルを重ねた構造の液晶表示装置として、特殊な眼鏡を必要としないで立体視が可能な裸眼立体画像表示装置が提案されている。例えば、特許文献１には、透過型表示素子の電子制御により視差バリア・ストライプを発生するバリア発生手段と、視差バリア・ストライプの発生位置から後方に所定距離を離して配設された表示画面を有し、３次元画像表示の際に、視差バリア・ストライプに対応して、左画像と右画像とのストライプが交互に配列された多方向画像を上述の表示画面に出力表示可能な画像表示手段とを備える３次元画像表示装置が開示されている。
【０００３】
このような３次元画像表示装置では、視差バリア・ストライプを電子式に発生させると共に、発生した視差バリア・ストライプの形状（ストライプの数、幅、間隔）や位置（位相）、濃度などを自由に可変制御できるように構成しているため、２次元画像表示装置及びその表示方法としても、また３次元画像表示装置及びその表示方法としても使用することができ、両立性のある画像表示装置及び画像表示方法を実現できることが特徴である。
【先行技術文献】
【特許文献】
【０００４】
【特許文献１】特許第２８５７４２９号公報
【発明の概要】
【発明が解決しようとする課題】
【０００５】
上述した３次元画像表示装置等の液晶表示装置では２枚の液晶パネルで実現する場合、視差バリア用液晶パネルと映像表示用液晶パネルとを積層させている。しかしながら、液晶パネルは表示画面に対し斜め方向から見た場合に色が変化するという視野角特性を有するため、液晶パネルを積層した液晶表示装置においても斜め視野におけるカラーシフトが大きくなることにより、表示品位が低下してしまうという問題点があった。
【０００６】
この発明は上記問題点を解決するためになされたもので、表示品位の高い画像表示を実現する、２枚の液晶パネルを有する液晶表示装置を得ることを目的とする。
【課題を解決するための手段】
【０００７】
この発明に係る請求項１記載の液晶表示装置は、第１及び第２の液晶パネルの積層構造により構成される液晶表示装置であって、前記積層構造の上方または下方が表示面として規定され、前記第１の液晶パネルは、第１の液晶層、前記第１の液晶層を挟む第１の上部及び下部基板、前記第１の上部基板の上方に設けられる第１の上部偏光板、及び前記第１の下部基板の下方に設けられる第１の下部偏光板を含み、前記第２の液晶パネルは、第２の液晶層、前記第２の液晶層を挟む第２の上部及び下部基板、前記第２の上部基板の上方に設けられる第２の上部偏光板、前記第２の下部基板の下方に設けられる第２の下部偏光板を含み、前記第１の液晶パネルは白表示時に黄色にシフトする視野方向である第１の黄色シフト方向と、白表示時に青色にシフトする視野方向である第１の青色シフト方向とを含む第１の視野角特性を有し、前記第２の液晶パネルは白表示時に黄色にシフトする視野方向である第２の黄色シフト方向と、白表示時に青色にシフトする視野方向である第２の青色シフト方向とを含む第２の視野角特性を有し、前記第１の黄色シフト方向及び前記第２の青色シフト方向が一致し、かつ、前記第１の青色シフト方向及び前記第２の黄色シフト方向が一致するように前記第１及び第２の液晶パネルが積層されることを特徴としている。
【発明の効果】
【０００８】
請求項１記載の本願発明の液晶表示装置は、上記特徴を有することにより、表示面に対し斜め視野方向で視認した場合における白表示時におけるカラーシフトを効果的に抑制することができ、その結果、表示品位の高い画像表示を実現することができる。
【図面の簡単な説明】
【０００９】
【図１】この発明の実施の形態１である液晶表示装置の断面構造を示す断面図である。
【図２】実施の形態１である液晶表示装置における視差バリアパネルの偏光板吸収軸及びラビング方向を模式的に示す説明図である。
【図３】実施の形態１である液晶表示装置における表示パネルの偏光板吸収軸、ラビング方向及び駆動時における液晶分子の回転方向を模式的に示す説明図である。
【図４】実施の形態１である液晶表示装置の積層構造及び光軸関係を模式的に示す説明図である。
【図５】実施の形態２である液晶表示装置の積層構造及び光軸関係を模式的に示す説明図である。
【発明を実施するための形態】
【００１０】
＜実施の形態１＞
（全体構造）
図１はこの発明の実施の形態１である、２つの液晶パネルの積層構造を有する液晶表示装置（液晶視差バリア方式の裸眼立体画像表示装置）１０の断面構造を示す断面図である。なお、図１及び以降に説明する図２〜図５それぞれにおいて、ＸＹＺ座標軸を示す。
【００１１】
この液晶表示装置１０は、右の画像（右眼に対する視差画像、（第１の観察方向用の画像；第１種画像））及び左の画像（右眼に対する視差画像と少しだけ異なる左眼に対する視差画像（第２の観察方向用の画像；第２種画像））からなる２画像（３次元画像）を同時に表示可能である。
【００１２】
この液晶表示装置１０によれば、特殊な眼鏡を用いなくても裸眼で立体画像を視認でき、あるいは、観察方向別に異なる画像を表示したりすることができる。以下においては、主に、液晶表示装置１０が、右眼及び左眼の視差画像を表示する場合について説明する。以下、説明の都合上、図１に示す上下方向（Ｚ方向）を前後方向と呼び、図１に示す左右方向（Ｘ方向）を横方向（水平方向）と呼び、図１での奥行方向（Ｙ方向）を縦方向（垂直方向）と呼ぶ。
【００１３】
図１に示すように、液晶表示装置１０は、（液晶映像）表示パネル２０（第１の液晶パネル）と、表示パネル２０の後方（下方）に配置された視差バリアパネル３０（第２の液晶パネル）とを備えている。図１に示すように、視差バリアパネル３０の後方（−Ｚ方向）にバックライト４０が設けられているため、表示パネル２０及び視差バリアパネル３０はそれぞれ観察者１に向かう前方（＋Ｚ方向）側の面が表示面として規定される。
【００１４】
表示パネル２０はマトリクス状に配置された複数の画素により画像表示を行うマトリクス型の液晶映像表示パネルである。表示パネル２０は液晶が形成される液晶層２３（第１の液晶層）と、液晶層２３を挟み互いに対向する透明基板２２及び２５（第１の上部及び下部基板）と、透明基板２２及び２５に対し液晶層２３と反対側にそれぞれ設けられた上側偏光板２１及び中間偏光板２６（第１の上部偏向板及び第１の下部偏光板（第２の上部偏光板））を主要構成として備えている。なお、図１においては表示パネル２０における液晶層２３の液晶（分子）を駆動するための電極の図示は省略されている。
【００１５】
表示パネル２０の液晶層２３には、観察者１の右眼２Ｒの画像を表示する右眼用サブ画素領域２３Ｒ（第１種画像用の領域）、及び観察者１の左眼２Ｌの画像を表示する左眼用サブ画素領域２３Ｌ（第２種画像用の領域）が、互いに遮光部２４で挟まれた状態で、横方向（水平方向，Ｘ方向）に交互に配置されている。
【００１６】
右眼用サブ画素領域２３Ｒ及び左眼用サブ画素領域２３Ｌの横幅は、互いに同一またはほぼ同一に設定される。このように構成された右眼用サブ画素領域２３Ｒ及び左眼用サブ画素領域２３Ｌは表示パネル２０において横方向（Ｘ方向）に所定の均一なピッチで配列されている。なお、実施の形態１では、右眼用サブ画素領域２３Ｒ及び左眼用サブ画素領域２３Ｌは、横方向だけでなく縦方向（Ｙ方向）にも配列されている。
【００１７】
視差バリアパネル３０は、２枚の透明基板３２及び３５（第２の上部及び下部基板）と、透明基板３２及び３５間に挟まれて保持される液晶層３３（第２の液晶層）と、透明基板３５に対し液晶層３３と反対側に設けられた下側偏光板３６（第２の下部偏光板）とを備えている。視差バリアパネル３０と表示パネル２０との間に設けられる偏光板として、中間偏光板２６が表示パネル２０用の第１の下部基板と視差バリアパネル３０用の第２の上部基板として兼用されている。なお、図１において、説明の都合上、視差バリアパネル３０における液晶層３３の液晶を駆動するための電極等の図示を省略している。
【００１８】
視差バリアパネル３０の透明基板３２及び３５のうち一方の透明基板の液晶層３３側の表面には、縦方向（図１の奥行方向（Ｙ方向））に延在する複数のストライプ状透明電極が形成され、他方の透明基板の液晶層３３側の表面には、全面に（ベタの）対向透明電極が形成されている。これらの透明基板３２及び３５に形成された透明電極等によって液晶層３３に電界を印加することにより、液晶層３３の液晶分子を駆動する。
【００１９】
（視差バリアパネル３０）
実施の形態１では、視差バリアパネル３０の液晶層３３の液晶分子を駆動する方式である液晶モードとしてＴＮ（Twisted Nematic）モードを採用している。上述したストライプ状透明電極と、対向透明電極間に電圧を選択的に印加すると、電圧印加領域のみ遮光状態となり、２画像表示（３次元画像（第２形式の画像）を表示）を行うのに必要な視差バリア・ストライプ（遮蔽領域３３Ｓと透過領域３３Ｔとが混在する一部遮光状態）を形成できる。一方、全てのストライプ状透明電極，対向透明電極に電圧を印加しない状態とすることで、視差バリアパネル３０の全面を透過状態（完全光透過状態）とすることができ、単一画像（２次元画像；第１形式の画像）の表示が行える。
【００２０】
図２は、実施の形態１である液晶表示装置１０における視差バリアパネル３０の偏光板吸収軸及びラビング方向を模式的に示す説明図である。液晶層３３内の液晶分子は、分子の長軸方向がラビング方向（配向方向）に沿って配向する。以下、ラビング方向の設定について説明する。
【００２１】
例えば、透明基板３２の液晶層３３側の対向面（下面）上において液晶層３３に接するように配向膜（図示せず）を設け、該配向膜に対し＋Ｙ方向に「こする」ラビング処理を行うことにより、図２に示すように、液晶層３３の透明基板３２側におけるラビング方向Ｄ３２を＋Ｙ方向に設定することができる。
【００２２】
一方、透明基板３５の液晶層３３側の対向面（上面）上において液晶層３３に接するように配向膜（図示せず）を設け、該配向膜に対し＋Ｘ方向に向けてラビング処理を行うことにより、図２に示すように、液晶層３３の透明基板３５側におけるラビング方向Ｄ３５を＋Ｘ方向に設定することができる。
【００２３】
そして、図２に示すように、視差バリアパネル３０の上方に設けられる上側偏光板２０１の吸収軸Ｊ２０１はＹ方向に沿って設定され、視差バリアパネル３０の下方に設けられる下側偏光板２０２の吸収軸Ｊ２０２はＸ方向に沿って設定される。
【００２４】
図２に示すように、上側偏光板２０１及び下側偏光板２０２における偏光板吸収軸と液晶層３３における液晶配向方位（ラビング方向Ｄ３２及びＤ３５）との関係にあるＴＮモードの視差バリアパネル３０は、白表示する場合に右上及び左下方向から見ると黄色に色付き (Yellowish)、左上及び右下方向から視ると青色に色づく (Bluish)視野角特性（第２の視野角特性）を有している。
【００２５】
すなわち、視差バリアパネル３０は、白表示時に黄色にシフトする斜め視野方向（右上及び左下方向）である黄色シフト方向ＤＹ２（第２の黄色シフト方向）と、白表示時に青色にシフトする斜め視野方向（左上方向及び右下方向）である青色シフト方向ＤＢ２（第２の青色シフト方向））とを含む視野角特性（第２の視野角特性）を有している。
【００２６】
なお、本明細書中において、「右上方向から視る」とは、方位角４５°(左下から右上への平面)の面上で、表示面に垂直な軸を中心とした角度である極角４５°（右方向が正（＋），左方向が負（−））の方向から視ることを意味し、「左下方向から視る」とは、方位角４５゜の面上で極角−４５゜の方向から視ることを意味する。
【００２７】
同様にして、「左上方向から視る」とは、方位角１３５°(左上から右下への平面)の面上で、極角−４５゜の方向から視ることを意味し、「右下方向から視る」とは、方位角１３５゜の面上で極角４５゜の方向から視ることを意味する。
【００２８】
なお、図２及び後述する図３で示す青色シフト方向ＤＢ１，ＤＢ２、及び黄色シフト方向ＤＹ１，ＤＹ２の矢印は模式的に示しているにすぎず、正確な方向まで示している訳ではない。
【００２９】
以下、視差バリアパネル３０における視野角特性（第２の視野角特性）について説明する。図２に示すように、液晶層３３のラビング方向Ｄ３２及びＤ３５を設定すると、液晶層３３内の液晶分子の配向状態は方位角４５°の面を境界にしてほぼ線対称となり、右上（左上）方向及び左下（右下）方向から視たときのカラーシフト状態もほぼ同じとなる。この際、右上及び左下方向が黄色シフト方向ＤＹ２となり、左上及び右下方向が青色シフト方向ＤＢ２となるのは、液晶層３３における液晶配向の違いよって透過率スペクトルが異なることに起因している。
【００３０】
（表示パネル２０）
一方、実施の形態１の液晶表示装置１０では、表示パネル２０の液晶層２３の液晶分子を駆動する方式である液晶モードとしてＦＦＳ（Fringe Field Switching）モードを適用している。ＦＦＳモードは透明基板２２及び２５のうち一方の基板に積層して形成した平面電極とスリット状電極とにより横電界を発生させ、液晶分子を面内で回転させることにより光透過率を制御する駆動方式である。
【００３１】
図３は、実施の形態１である液晶表示装置１０における表示パネル２０の偏光板吸収軸、ラビング方向及び駆動時における液晶層３３内の液晶分子の回転方向を模式的に示す説明図である。
【００３２】
例えば、透明基板２２の液晶層２３側の対向面（下面）上において液晶層２３に接するように配向膜（図示せず）を設け、該配向膜に対し＋Ｘ方向に「こする」ラビング処理を行うことにより、図３に示すように、液晶層２３の透明基板２２側におけるラビング方向Ｄ２２を＋Ｘ方向に設定することができる。
【００３３】
同様に、透明基板２５の液晶層２３側の対向面（上面）上において液晶層２３に接するように配向膜（図示せず）を設け、該配向膜に対し＋Ｘ方向に向けてラビング処理を行うことにより、図３に示すように、液晶層２３の透明基板２５側におけるラビング方向Ｄ２５を＋Ｘ方向に設定することができる。
【００３４】
そして、図３に示すように、表示パネル２０の上方に設けられる上側偏光板１０１の吸収軸Ｊ１０１はＸ方向に沿って設定され、表示パネル２０の下方に設けられる下側偏光板１０２の吸収軸Ｊ１０２はＹ方向に沿って設定される。
【００３５】
なお、ＦＦＳモードにおける液晶層２３内の液晶分子の回転方向は、上述したスリット状電極の延在方向によって決定される。
【００３６】
図３に示すように、ラビング方向Ｄ２２及びＤ２５が設定されている場合、反時計回りの回転方向Ｒ２０を得るべく、スリット状電極（図示せず）の延在方向をラビング方向Ｄ２２（Ｄ２５）から時計回りに５〜１５°程度ずらして設けている。
【００３７】
図３のような上側偏光板１０１及び下側偏光板１０２による吸収軸Ｊ１０１及びＪ１０２、ラビング方向Ｄ２２及びＤ２５による液晶配向方位、および液晶層２３内の液晶分子の回転方向Ｒ２０の関係にあるＦＦＳモードの表示パネル２０は、白表示する場合に右上方向および左下方向から視ると青色に色付き (Bluish)、左上方向および右下方向から視ると黄色に色づく (Yellowish)視野角特性（第１の視野角特性）を有する。
【００３８】
すなわち、表示パネル２０は、白表示時に黄色にシフトする斜め視野方向が黄色シフト方向ＤＹ１（第１の黄色シフト方向）となり、白表示時に青色にシフトする斜め視野方向が青色シフト方向ＤＢ１（第１の青色シフト方向）となる視野角特性（第１の視野角特性）を有している。
【００３９】
以下、表示パネル２０における視野角特性について説明する。ＦＦＳモードの表示パネル２０の平面電極とスリット状電極との間に電圧を印加して液晶層２３を駆動すると、液晶層２３にはスリット状電極の延在方向と直交する方向の電界が発生し、液晶層２３内の液晶分子の長軸は上記した電界方向に近づくように回転する（一般的なポジ型液晶の場合）。
【００４０】
液晶層２３内の液晶分子の配向方向（ラビング方向）がスリット状電極の延在方向と平行の場合、液晶分子は５０％ずつの確率で上方から視て時計回り・反時計回りに回転する。すなわち、液晶分子の回転方向が一つに定まらず、結果として斜め視野におけるカラーシフトを制御できない。
【００４１】
そこで、液晶層２３内の液晶分子は回転量が小さくなる方向のみに回転する性質を利用して、図３に示す反時計回りの回転方向Ｒ２０を得るべく、スリット状電極の延在方向を液晶層２３内の液晶分子の配向方向に対し時計回りに５〜１５°程度ずれた方向に設定する。
【００４２】
その結果、表示パネル２０における斜め視野におけるカラーシフトが制御できるため、上述した青色シフト方向ＤＢ１及び黄色シフト方向ＤＹ１を含む第１の視野角特性を有する表示パネル２０を得ることができる。
【００４３】
なお、逆に、スリット状電極の延在方向をラビング方向から反時計回りに５〜１５°程度にずらして設定した場合、駆動時における液晶層２３の液晶分子の回転方向が時計回りとなり、表示パネル２０を視る方向とカラーシフトの関係が入れ替わる（右上及び左下方向から視ると黄色に色づき、左上及び右下方向から視ると青色に色づく視野角特性（上記第２の視野角特性と同じ特性）となる）。
【００４４】
（表示パネル２０及び視差バリアパネル３０による積層構造）
図４は実施の形態１である液晶表示装置１０の積層構造及び光軸関係を模式的に示す説明図である。なお、図４で示す構造は、図２で示した視差バリアパネル３０の上方に、図３で示した表示パネル２０を中間偏光板２６を挟んで積層し、上側偏光板２１を表示パネル２０の上側偏光板１０１として設け、中間偏光板２６を表示パネル２０の下側偏光板１０２及び視差バリアパネル３０の上側偏光板２０１の兼用偏光板として機能させ、下側偏光板３６を視差バリアパネル３０の下側偏光板２０２として設けている。
【００４５】
したがって、上側偏光板２１の吸収軸Ｊ２１は上側偏光板１０１の吸収軸Ｊ１０１と同じ方向に設定され、中間偏光板２６の吸収軸Ｊ２６は下側偏光板１０２の吸収軸Ｊ１０２及び上側偏光板２０１の吸収軸Ｊ２０１と同じ方向に設定され、下側偏光板３６の吸収軸Ｊ３６は下側偏光板２０２の吸収軸Ｊ２０２と同じ方向に設定される。
【００４６】
なお、下側偏光板１０２の吸収軸Ｊ１０２及び上側偏光板２０１の吸収軸Ｊ２０１は共に同じ方向（Ｙ方向，図２，図３参照）であるため、中間偏光板２６に下側偏光板１０２及び上側偏光板２０１を兼用させても動作に支障は生じることはない。
【００４７】
図４で示す構造の実施の形態１の液晶表示装置１０は、視差バリアパネル３０を白表示する場合に生じる黄色シフト方向ＤＹ２（右上及び左下方向）と、表示パネル２０を白表示する場合に生じる青色シフト方向ＤＢ１（右上及び左下方向）とが一致した状態で重なるように表示パネル２０及び視差バリアパネル３０が積層されている。同様に、視差バリアパネル３０を白表示する場合に生じる青色シフト方向ＤＢ２（左上及び右下方向）と、表示パネル２０を白表示する場合に生じる黄色シフト方向ＤＹ１（左上及び右下方向）とが一致した状態で重なるように、表示パネル２０及び視差バリアパネル３０が積層されている。
【００４８】
その結果、右上及び左下方向並びに左上及び右下方向のいずれの斜め視野方向においても、「黄色」と「青色」との色の重ね合わせにより相殺される結果、「白色」が表示されることより、液晶表示装置１０全体として、斜め視野におけるカラーシフトが生じる視野角特性を効果的に抑制することができる。
【００４９】
なお、表示パネル２０と視差バリアパネル３０とを積層するため、光の利用効率が最も高くなるように視差バリアパネル３０の上側偏光板吸収軸となる吸収軸Ｊ２０１の方向と表示パネル２０の下側偏光板吸収軸となる吸収軸Ｊ１０２の方向とを一致させている。したがって、図４に示すように、中間偏光板２６を表示パネル２０用の下側偏光板１０２と、視差バリアパネル３０用の上側偏光板２０１として兼用させることができる。
【００５０】
その結果、下側偏光板１０２及び上側偏光板２０１を兼用する中間偏光板２６により、光の利用効率を最も高くしつつ、表示品位に影響を与えることなく、装置構成の簡略化を図ることができる。
【００５１】
なお、本実施の形態１では、表示パネル２０の液晶モードとしてＦＦＳモードを適用したが、ＦＦＳモードに代えて、インプレインスイッチング（In Plane Switching）モードを適用する場合も同様に、図３で示した光軸関係および液晶分子の回転方向を設定することにより、斜め視野におけるカラーシフト現象を効果的に抑制することができる。
【００５２】
なお、本明細書において、上述したように、ＦＦＳモードは一方の基板に積層して形成した平面電極とスリット状電極とにより横電界を発生させ液晶分子を面内で回転させることにより光透過率を制御する液晶モードを意味する。一方、インプレインスイッチングモードは一方の基板に形成した櫛歯電極により横電界を発生させ液晶分子を面内で回転させることにより光透過率を制御する液晶モードを意味する。
【００５３】
上述したように、実施の形態１の液晶表示装置１０は、以下の特徴を有する。表示パネル２０（第１の液晶パネル）は白表示時に黄色にシフトする斜め視野方向である黄色シフト方向ＤＹ１（第１の黄色シフト方向）と、白表示時に青色にシフトする斜め視野方向である青色シフト方向ＤＢ１（第１の青色シフト方向）とを含む第１の視野角特性を有している。
【００５４】
一方、視差バリアパネル３０（第２の液晶パネル）は白表示時に黄色にシフトする斜め視野方向である黄色シフト方向ＤＹ２（第２の黄色シフト方向）と、白表示時に青色にシフトする斜め視野方向である青色シフト方向ＤＢ２（第２の青色シフト方向）とを含む第２の視野角特性を有している。
【００５５】
そして、実施の形態１である液晶表示装置１０において、黄色シフト方向ＤＹ１及び青色シフト方向ＤＢ２が一致し、かつ、青色シフト方向ＤＢ１及び黄色シフト方向ＤＹ２が一致するように、表示パネル２０及び視差バリアパネル３０が積層されていることを特徴としている。
【００５６】
したがって、実施の形態１の液晶表示装置１０は、上記特徴を有することにより、表示面に対し斜め視野方向で視認した場合における白表示時におけるカラーシフトを効果的に抑制することができ、その結果、表示品位の高い画像表示を、液晶視差バリア方式の裸眼立体画像表示装置である液晶表示装置１０に対して実現することができる。
【００５７】
また、表示パネル２０は、上記第１の視野角特性が得られるように、透明基板２２及び２５（第１の上部及び下部基板）におけるラビング方向Ｄ２２及びＤ２５（第１の上部及び下部ラビング方向）と駆動時における液晶層２３（第１の液晶層）における液晶分子の回転方向とが設定される。
【００５８】
一方、視差バリアパネル３０は、上記第２の視野角特性が得られるように、透明基板３２及び３５（第２の上部及び下部基板）におけるラビング方向Ｄ３２及びＤ３５（第２の上部及び下部ラビング方向）が設定される。
【００５９】
その結果、液晶モードとしてＦＦＳモード（インプレインスイッチングモード）を採用した表示パネル２０と、液晶モードとしてＴＮモードを採用した視差バリアパネル３０とからなる積層構造の液晶表示装置１０に対し、表示品位の高い画像表示を実現することができる。
【００６０】
＜実施の形態２＞
図５は本発明の実施の形態２である液晶表示装置１０Ｂの積層構造及び光軸関係を模式的に示す説明図である。実施の形態２においては、視差バリアパネル３０だけでなく表示パネル２０Ｔも液晶モードとしてＴＮモードを採用している。なお、全体の断面構造は、表示パネル２０が表示パネル２０Ｔに置き換わる点を除き、図１〜図４で示した実施の形態１の液晶表示装置１０と同様である。以下、実施の形態１と異なる部分の表示パネル２０Ｔを中心に説明し、実施の形態１と共通する部分の説明は同一符号を付して適宜省略する。
【００６１】
例えば、透明基板２２の液晶層２３側の対向面（下面）上に液晶層２３に接するように配向膜（図示せず）を設け、該配向膜に対し＋Ｘ方向に向けてラビング処理を行うことにより、図５に示すように、液晶層２３の透明基板２２側におけるラビング方向Ｄ２２を＋Ｘ方向に設定することができる。
【００６２】
一方、透明基板２５の液晶層２３側の対向面（上面）上に液晶層２３に接するように配向膜（図示せず）を設け、該配向膜に対し−Ｙ方向に向けてラビング処理を行うことにより、図５に示すように、液晶層２３の透明基板２５側におけるラビング方向Ｄ２５を−Ｙ方向に設定することができる。
【００６３】
図５に示すように、上側偏光板２１及び中間偏光板２６による吸収軸Ｊ２１及びＪ２６、及びラビング方向Ｄ２２及びＤ２５による液晶配向方位の関係にあるＴＮモードの表示パネル２０Ｔは、実施の形態１の表示パネル２０と同様、白表示時に黄色にシフトする斜め視野方向が黄色シフト方向ＤＹ１（左上及び右下方向）となり、白表示時に青色にシフトする斜め視野方向が青色シフト方向ＤＢ１（右上及び左下方向）となる視野角特性（第１の視野角特性）を有している。
【００６４】
その結果、実施の形態２の液晶表示装置においても、実施の形態１と同様、右上及び左下方向並びに左上及び右下方向のいずれの斜め視野方向においても、「黄色」と「青色」との色の重ね合わせにより「白色」が表示されることより、液晶表示装置１０Ｂ全体として、斜め視野におけるカラーシフトが生じる視野角特性を効果的に抑制することができる。
【００６５】
また、表示パネル２０Ｔは、上記第１の視野角特性が得られるように、透明基板２２及び２５（第１の上部及び下部基板）におけるラビング方向Ｄ２２及びＤ２５（第１の上部及び下部ラビング方向）が設定される。
【００６６】
一方、視差バリアパネル３０は、上記第２の視野角特性が得られるように、透明基板３２及び３５におけるラビング方向Ｄ３２及びＤ３５が設定される。
【００６７】
その結果、液晶モードとしてＴＮモードを採用した表示パネル２０と、液晶モードとしてＴＮモードを採用した視差バリアパネル３０とからなる積層構造の液晶表示装置１０Ｂに対し、表示品位の高い画像表示を実現することができる。
【００６８】
＜その他＞
上述した実施の形態では、２枚の液晶パネルからなる液晶表示装置として、視差バリアパネルにより左右の目に異なる画像を認識させる裸眼立体画像表示装置を示したが、この構成に限定されない。
【００６９】
例えば、裸眼立体画像表示装置に類似の構造である、液晶パネルを左右から見たときに異なる映像を表示する２画面ディスプレイが考えられる。さらに、積層される一方の液晶パネルに、フィルタ機能として、表示/非表示を切り替えるシャッター機能、あるいは視野角制御(広視野角モードと狭視野角モードとの切り替え)機能などを持たせたものや、枠などの図形パターンや文字情報など、他方のパネルの映像表示と独立した表示を重ねて表示する機能を持たせるものなど、各種用途に応じた機能性ディスプレイ等に本発明の液晶表示装置を適用することが考えられる。
【００７０】
なお、本発明は、その発明の範囲内において、各実施の形態を自由に組み合わせたり、各実施の形態を適宜、変形、省略したりすることが可能である。
【００７１】
例えば、表示パネル２０及び視差バリアパネル３０の液晶モードを共にＦＦＳモードやインプレインスイッチングモードにする等、表示パネル２０及び視差バリアパネル３０の液晶モードを任意に設定することができる。
【００７２】
ＦＦＳモードやインプレインスイッチングモードなどの横電界方式の液晶表示装置はＴＮモードに比べて視野角が広く、表示性能が優れている特性を有している。一方、ＴＮモードの液晶表示装置はＦＦＳモードやインプレインスイッチングモードに比べて光透過率が高く、明るい表示が可能となる特性を有している。したがって、上述した特性を考慮し、使用目的等に沿って、これらの液晶モードを適宜選択することが望ましい。
【符号の説明】
【００７３】
１０，１０Ｂ  液晶表示装置（裸眼立体画像表示装置）、２０，２０Ｔ  表示パネル、２１，１０１，２０１  上側偏光板、２２，２５，３２，３５  透明基板、２３，３３  液晶層、２４  遮光部、２６  中間偏光板、３０  視差バリアパネル、３６，１０２，２０２  下側偏光板、Ｄ２２，Ｄ２５，Ｄ３２，Ｄ３５  ラビング方向、Ｊ２１，Ｊ２６，Ｊ３６，Ｊ１０１，Ｊ１０２，Ｊ２０１，Ｊ２０２  吸収軸。
【図１】
2015114371.tif 000003
【図２】
2015114371.tif 000004
【図３】
2015114371.tif 000005
【図４】
2015114371.tif 000006
【図５】
2015114371.tif 000007